(57)【要約】【課題】開閉扉を上下にスライドさせるタイプの洗濯機においても、開閉扉の上下方向への移動の障害になることなく、洗濯槽の回転によって衣類が開閉扉の方向に飛び出すことを防止し、衣類や機器の損傷を防ぎ、また、衣類の洗濯を充分に行える洗濯機を得る。【解決手段】ドラム型の洗濯槽２を備え、この洗濯槽２の円板面に衣類の出し入れ口を設け、この出し入れ口の周縁にリング状の密着部材３を設けるとともに出し入れ口の前方に開閉扉４を上下にスライド自在に設けた洗濯機において、前記出し入れ口の下側で開閉扉４の内側に、衣類戻し板６を洗濯槽２の内方に向け下方に傾斜させて突設した。【選択図】        図１
2007202741.tif 000002
【特許請求の範囲】
【請求項１】
ドラム型の洗濯槽を備え、この洗濯槽の円板面に衣類の出し入れ口を設け、この出し入れ口の周縁にリング状の密着部材を設けるとともに出し入れ口の前方に開閉扉を上下にスライド自在に設けた洗濯機において、前記出し入れ口の下側で開閉扉の内側に、衣類戻し板を洗濯槽の内方に向け下方に傾斜させて突設したことを特徴とする洗濯機。
【請求項２】
前記衣類戻し板は、開閉扉の内側下部に取付けられることを特徴とする請求項１記載の洗濯機。
【請求項３】
前記衣類戻し板は、密閉部材の内周面内に取付けられることを特徴とする請求項１記載の洗濯機。
【請求項４】
前記衣類戻し板は、開閉扉または密着部材への取付け片を一体に形成した断面略逆Ｖ字形に形成したことを特徴とする請求項１から請求項３のいずれかに記載の洗濯機。
【請求項５】
前記衣類戻し板は、舌片状に形成したことを特徴とする請求項１から請求項４のいずれかに記載の洗濯機。
【発明の詳細な説明】
【技術分野】
【０００１】
本発明は、洗濯機の特に衣類の引っ掛かり防止構造に関するものである。
【背景技術】
【０００２】
洗濯機に回転ドラム型の洗濯槽を備えるタイプのものがある。これは、略直方体形状の外箱を備え、外箱内に円筒の回転ドラム型の洗濯槽を配設し、この洗濯槽の前面の衣類の出し入れ口の前方に形成される外箱の開口部周縁に環状のパッキン（密着部材）を取付け、このパッキンの前方の開口を開閉扉で塞ぐものである。
【０００３】
ところで、前記開閉扉は、洗濯槽の前面側に密着部材が取付けられて、この密着部材を介して洗濯槽の前方に配設されることから、開閉扉と洗濯槽との間に間隔が存在することになる。
【０００４】
このため、洗濯運転時に洗濯槽内の衣類が回転すると、この回転力によって衣類が洗濯槽内から開閉扉の方向に飛び出してくる。その結果、衣類や機器が損傷するおそれが生じ、また、衣類が洗濯槽と開閉扉との間に入り込み衣類の出し入れ口付近に引っ掛かり、これが原因で充分に洗えなかったり、すすげなかったり、脱水できないという事態発生のおそれもある。
【０００５】
そこで、衣類が洗濯槽から回転扉の方向に飛び出すことを防止する手段として、例えば開閉扉の内側に設ける内蓋を洗濯槽の内部の方向に突出させるようにし、この内蓋により衣類が開閉扉の方向に飛び出すことを防止するようにしたものがある（例えば特許文献１参照）。
【特許文献１】特開２００４−１０５２６７号公報
【発明の開示】
【発明が解決しようとする課題】
【０００６】
前記特開２００４−１０５６２７号公報に記載の洗濯機は、開閉扉が側部に設けたヒンジ部を軸として前方の水平方向に回動して開閉する、いわゆる前開きタイプの扉構造であるため、開閉扉の内側の内蓋を洗濯機側に突出させても、開閉扉の開閉に支障は生じない。
【０００７】
しかし、前記のように開閉扉がヒンジ構造で前方に回動するタイプのものは、ヒンジ部の側からは衣類の出し入れが出来ない、また、扉を開閉させるためのスペースを洗濯機の前方に大きく必要とするなどの問題がある。
【０００８】
そこで、かかる不都合を解消するものとして、開閉扉を上下方向にスライドさせるタイプの洗濯機が提案されている。しかし、このタイプの場合は、開閉扉の内側に内蓋を突出させると、この内蓋が邪魔になって開閉扉を上下にスライドさせることができなくなってしまう。
【０００９】
本発明の目的は前記事情に鑑みて、開閉扉を上下にスライドさせるタイプの洗濯機においても、開閉扉の上下方向への移動の障害になることなく、洗濯槽の回転によって衣類が開閉扉の方向に飛び出すことを防止し、衣類や機器の損傷を防ぎ、また、衣類の洗濯を充分に行える洗濯機を提供することにある。
【課題を解決するための手段】
【００１０】
本発明は前記目的を達成するため、請求項１記載の発明は、ドラム型の洗濯槽を備え、この洗濯槽の円板面に衣類の出し入れ口を設け、この出し入れ口の周縁にリング状の密着部材を設けるとともに出し入れ口の前方に開閉扉を上下にスライド自在に設けた洗濯機において、前記出し入れ口の下側で開閉扉の内側に、衣類戻し板を洗濯槽の内方に向け下方に傾斜させて突設したことを要旨とするものである。
【発明の効果】
【００１１】
以上述べたように本発明の洗濯機は、出し入れ口の下側で開閉扉の内側に、衣類戻し板を洗濯槽の内方に向け下方に傾斜させて突設したから、洗濯槽内の洗濯時に衣類に回転力が加わって、これにより衣類が洗濯槽の開口縁から開閉扉の方向に飛び出そうとしても、衣類戻し板に衣類が衝突し、衣類戻し板の傾斜面にそって上昇し洗濯槽内の方向に押し戻される。
【００１２】
よって、衣類が開閉扉の方向に飛び出すことが阻止され、衣類や機器の損傷が防止され、衣類の洗濯力の低下も防止される。
【００１３】
また、衣類戻し板は開閉扉の下部位置にのみ取付けたから、開閉扉を上下にスライドさせて開口部を開放する構造のものに実施しても、衣類戻し板が開閉の支障となることはない。
【発明を実施するための最良の形態】
【００１４】
以下、図面について本発明の実施形態を詳細に説明する。図１は本発明の洗濯機の要部の縦断側面図、図２は同上要部の衣類戻し板を取付けた開閉蓋の第１実施形態を示す斜視図で、洗濯機の全体構成は、既に説明したように回転ドラム型の洗濯槽を備えるタイプの洗濯機である。
【００１５】
これは、図１に示すように略直方体形状の外箱１を備え、この外箱１内に円筒の回転ドラム型の洗濯槽２を配設し、この洗濯槽２の前面の衣類の出し入れ口の前方に形成される外箱の開口部周縁に環状のパッキン（密着部材３）を取付け、このパッキン（密着部材３）の前方の開口を開閉扉４で塞ぐものである。図中５はバランサーを示す。
【００１６】
前記密着部材３は、下部を上部よりも幅広に形成し、その前方に取付けられる開閉扉４が、その上部が下部よりも後方に位置するように構成し、衣類の出し入れ口を斜めに形成し衣類の出し入れが行いやすいようにしてある。
【００１７】
また、開閉扉４は上下の方向にスライドする構造とする。
【００１８】
かかる構成の洗濯機において、開閉扉４の内側下部に衣類戻し板６を取付ける。この衣類戻し板６は、図４にも示すように舌片状の本体６ａと、この本体６ａに一体に形成され半月形状の取付片６ｂとで構成し、全体を略逆Ｖ字形に形成した。
【００１９】
よって、この衣類戻し板６が開閉扉４の内側に取付けられた状態では、図２、図３、図７に示すように本体６ａが洗濯槽２の内方に向かう下方への傾斜面となる。
【００２０】
作用を説明すると、洗濯時に洗濯槽２内の衣類に回転力が加わって、衣類が洗濯槽２の開口縁から開閉扉４の方向に飛び出そうとすると、図８の説明図で矢印で示すように衣類戻し板６の本体６ａに衝突して、遠心力により、この本体６ａの傾斜面にそって上昇移動する。更に洗濯槽が回転を続けると衣類は、洗濯槽２の内方に押し戻される。尚、本体６ａは舌片状に形成してあるから、衣類がこの本体６ａに引っ掛かるおそれもない。
【００２１】
そして、衣類出し入れのために開閉扉４を上下方向に移動する際は、衣類戻し板６も開閉扉４と一体になって移動するが、衣類戻し板６は開閉扉４の下部にのみ突設してあるから、衣類戻し板６が洗濯槽２の内方に突出していてもこれが開閉扉４の昇降の妨げになることはない。
【００２２】
また、衣類が開閉扉４と洗濯槽２との間に挟まれることもなく、洗い、すすぎ、脱水が不十分になることもない。
【００２３】
図５、図６は第２実施形態を示し、第１実施形態では衣類戻し板６の取付け箇所を開閉扉４としたが、第２実施形態では密着部材３の内周面の下部とし、密着部材３に一体化させた。
【００２４】
この第２実施形態の衣類戻し板６も構造自体は第１実施形態と同様である。よって、図６に示すように衣類戻し板６のほとんどの部分が密着部材３の内周面の範囲内に収容されるが、衣類は回転によって密着部材３の内周面の内部に入り込むから、本体６ａによって洗濯槽２の側に押し戻される作用は第１実施形態の場合と同様に行われる。
【００２５】
この場合は、衣類戻し板６は密着部材３に取付けられ、開閉扉４とは分離しているから、開閉扉を上下方向に開閉移動する際は、開閉扉のみが衣類戻し板６の前面にそって移動する。よって、衣類戻し板６が開閉扉の開閉の支障とはならない。
【００２６】
以上のように、本発明の衣類戻し板は、スライド構造の開閉扉に基づいて、衣類取り出し口の下方に配設したものとして説明しているが、これに限定するものではなく、前記のいわゆる前開きタイプの開閉扉の場合にも用いることは可能であり、この場合、衣類取り出し口の下方のみにとどまらず、全周方向に取付けることができる。
【図面の簡単な説明】
【００２７】
【図１】本発明の洗濯機の実施形態を示す縦断側面図である。
【図２】本発明の洗濯機の第１実施形態を示す要部である衣類戻し板を取付けた開閉扉の斜視図である。
【図３】本発明の洗濯機の第１実施形態を示す要部である衣類戻し板を取付けた開閉扉の側面図である。
【図４】本発明の洗濯機の要部である衣類戻し板の斜視図である。
【図５】本発明の洗濯機の第２実施形態を示す要部である衣類戻し板を取付けた密着部材の斜視図である。
【図６】本発明の洗濯機の第２実施形態を示す要部である衣類戻し板を取付けた密着部材の斜視図である。
【図７】本発明の洗濯機の実施形態を示す衣類戻し板と洗濯槽の関係を示す説明図である。
【図８】本発明の洗濯機における衣類の動きを示す説明図である。
【符号の説明】
【００２８】
１  外箱                        ２  洗濯槽
３  密着部材                    ４  開閉扉
５  バランサー                  ６  衣類戻し板
６ａ  本体                      ６ｂ  取付片
【図１】
2007202741.tif 000003
【図２】
2007202741.tif 000004
【図３】
2007202741.tif 000005
【図４】
2007202741.tif 000006
【図５】
2007202741.tif 000007
【図６】
2007202741.tif 000008
【図７】
2007202741.tif 000009
【図８】
2007202741.tif 000010